(57)【要約】【課題】ユーザにおいて難しいパソコンの知識を要さずに、簡易にインターネット接続、メール接続などのネットワーク設定をすることを可能にする。【解決手段】パソコンＰＣ１にネットワーク設定記憶媒体１を接続し、ネットワーク設定プログラムを起動させ、パソコンＰＣ１に設定されているネットワーク設定情報をネットワーク設定記憶媒体１に保存する。次に、パソコンＰＣ２にネットワーク設定記憶媒体１を接続し、ネットワーク設定プログラムを起動させ、ネットワーク設定記憶媒体１に記憶されたネットワーク設定情報をパソコンＰＣ２に設定する。【選択図】図６
2008234438.tif 000002
【特許請求の範囲】
【請求項１】
第１のパソコンのネットワーク設定情報をリムーバブル記憶媒体を介して第２のパソコンに設定するためのネットワーク設定プログラムであって、
このネットワーク設定プログラムは、
第１のパソコンに、
自身に設定されたネットワーク設定情報を、自身に接続されたリムーバブル記憶媒体へ保存させ、
第２のパソコンに、
自身に接続され、かつ上記第１のパソコンのネットワーク設定情報を保存したリムーバブル記憶媒体から、この保存されたネットワーク設定情報を読み取らせるとともに、この読み取ったネットワーク設定情報を、自身のネットワーク設定情報として設定させる
ことを特徴とするネットワーク設定プログラム。
【請求項２】
上記ネットワーク設定情報は、ネットワーク接続情報、Ｗｅｂブラウザ設定情報、メーラー設定情報及びＯｕｔｌｏｏｋ設定情報のうち少なくとも１つである
ことを特徴とする請求項１に記載のネットワーク設定プログラム。
【請求項３】
上記ネットワーク設定プログラムは、
上記第１のパソコンに、
上記ネットワーク設定情報として、ネットワーク接続情報、Ｗｅｂブラウザ設定情報、メーラー設定情報及びＯｕｔｌｏｏｋ設定情報のうちから１つあるいは複数を選択して、上記リムーバブル記憶媒体へ保存させる
ことを特徴とする請求項１に記載のネットワーク設定プログラム。
【請求項４】
第１のパソコンのネットワーク設定情報を第２のパソコンに設定するためのネットワーク設定記憶媒体であって、
上記ネットワーク設定記憶媒体は、
第１のパソコンに接続した状態で、このネットワーク設定記憶媒体自身に、第１のパソコンのネットワーク設定情報を保存させる機能と、第２のパソコンに接続した状態で、このネットワーク設定記憶媒体自身に、上記保存されたネットワーク設定情報を第２のパソコンに設定させる機能と、を実現させるネットワーク設定プログラムを備える
ことを特徴とするネットワーク設定記憶媒体。
【請求項５】
上記ネットワーク設定情報は、ネットワーク接続情報、Ｗｅｂブラウザ設定情報、メーラー設定情報及びＯｕｔｌｏｏｋ設定情報のうち少なくとも１つである
ことを特徴とする請求項４に記載のネットワーク設定記憶媒体。
【請求項６】
上記ネットワーク設定記憶媒体は、ＵＳＢメモリ、ＣＦカード、ＳＤカード、メモリスティック、ハードディスク、ＤＶＤ−Ｒ、ＣＤ−Ｒなどの記憶媒体のいずれかであることを特徴とする請求項４あるいは５に記載のネットワーク設定記憶媒体。
【発明の詳細な説明】
【技術分野】
【０００１】
本発明は、インターネット接続、メール接続などのネットワーク設定を実現するのに好適なネットワーク設定プログラム及びネットワーク設定記憶媒体に関する。
【背景技術】
【０００２】
近年、パソコン（パーソナルコンピュータ）の普及が著しく、このパソコンを利用して、各種ホームページやブログなどを閲覧したり、メールの送受信を行ったりすることが各家庭において一般的に行われている。インターネットに接続するためには、ＩＰアドレスやＤＮＳサーバのアドレスなどの各種ネットワーク接続情報を設定する必要があり、メールを送受信するためには、メールアカウント名、受信サーバ名などのメーラー設定情報をパソコンに設定する必要がある。
【０００３】
このような各種設定は、ある程度のパソコンの知識を必要とし、パソコンやインターネットに不慣れな者にとっては、このようなネットワーク設定は大変な作業である。また、新しくパソコンを購入した場合には、既存のパソコンのネットワーク設定情報を新規購入のパソコンに新たに設定する必要がある。更に、一度このネットワーク設定を行ったとしても、パソコンが故障しＯＳを再インストールする必要がある場合には、ネットワーク設定も初期化されてしまうので、再度ネットワーク設定する必要があり、ユーザにとっては非常に煩わしい。
【０００４】
このようなユーザの煩わしさを解消するためのものとして特許文献１に記載のＷｅｂ環境自動設定装置のようなものがある。このＷｅｂ環境自動設定装置は、ＵＳＢメモリから構成されており、このＵＳＢメモリ内にはコンピュータ端末とＷｅｂサーバとを接続する際に必要な制御情報が記憶されている。このＵＳＢメモリをコンピュータ端末のＵＳＢポートに挿入し接続すると、制御情報がコンピュータに読み込まれ、コンピュータ端末は制御情報の命令に基づいて自動的にアクセスポイントにログインしＷｅｂサーバにアクセスする。このＷｅｂ環境自動設定装置を使用すれば、ユーザが手作業で各種ネットワーク設定情報を設定することなく、Ｗｅｂサーバと自動的にアクセスしインターネットに接続することが出来るので、ユーザにとっては便利である。
【０００５】
【特許文献１】特開２００６−４０４６号公報
【発明の開示】
【発明が解決しようとする課題】
【０００６】
しかしながら、このＷｅｂ環境自動設定装置によれば、このＷｅｂ環境自動設定装置の制御命令に基づいてコンピュータ端末を、移動体通信端末を介してダイヤルアップ接続させるものであり、ブロードバンド化に対応していないし、インターネットに接続するに際し移動体通信端末を必要とする。また、Ｗｅｂ環境自動設定装置はＷｅｂ環境の自動設定のみを対象としておりメーラーなどのネットワーク設定は想定していない。このように、特許文献１に記載のＷｅｂ環境自動設定装置では、種々のインターネット接続環境に対応するのは不十分であるし、メーラーのネットワーク設定にも対応していないのでユーザにとっては使い勝手が悪いものであった。
【０００７】
本発明は、上記課題を解決すべくなされたものであり、その目的は、ユーザにおいて難しいパソコンの知識を要さずに、簡易にインターネット接続、メール接続などのネットワーク設定をすることを可能とするネットワーク設定プログラム及びネットワーク設定記憶媒体を提供することにある。
【課題を解決するための手段】
【０００８】
本発明は、第１のパソコンのネットワーク設定情報をリムーバブル記憶媒体を介して第２のパソコンに設定するためのネットワーク設定プログラムであって、このネットワーク設定プログラムは、第１のパソコンに、自身に設定されたネットワーク設定情報を、自身に接続されたリムーバブル記憶媒体へ保存させ、第２のパソコンに、自身に接続され、かつ上記第１のパソコンのネットワーク設定情報を保存したリムーバブル記憶媒体から、この保存されたネットワーク設定情報を読み取らせるとともに、この読み取ったネットワーク設定情報を、自身のネットワーク設定情報として設定させることを特徴とする。
【０００９】
上記ネットワーク設定情報は、ネットワーク接続情報、Ｗｅｂブラウザ設定情報、メーラー設定情報及びＯｕｔｌｏｏｋ設定情報のうち少なくとも１つであってもよい。
【００１０】
上記ネットワーク設定プログラムは、上記第１のパソコンに、上記ネットワーク設定情報として、ネットワーク接続情報、Ｗｅｂブラウザ設定情報、メーラー設定情報及びＯｕｔｌｏｏｋ設定情報のうちから１つあるいは複数を選択して、上記リムーバブル記憶媒体へ保存させるようにしてもよい。
【００１１】
本発明は、第１のパソコンのネットワーク設定情報を第２のパソコンに設定するためのネットワーク設定記憶媒体であって、上記ネットワーク設定記憶媒体は、第１のパソコンに接続した状態で、このネットワーク設定記憶媒体自身に、第１のパソコンのネットワーク設定情報を保存させる機能と、第２のパソコンに接続した状態で、このネットワーク設定記憶媒体自身に、上記保存されたネットワーク設定情報を第２のパソコンに設定させる機能と、を実現させるネットワーク設定プログラムを備えることを特徴とする。
【００１２】
上記ネットワーク設定情報は、ネットワーク接続情報、Ｗｅｂブラウザ設定情報、メーラー設定情報及びＯｕｔｌｏｏｋ設定情報のうち少なくとも１つであってもよい。
【００１３】
上記ネットワーク設定記憶媒体は、ＵＳＢメモリ、ＣＦカード、ＳＤカード、メモリスティック、ハードディスク、ＤＶＤ−Ｒ、ＣＤ−Ｒなどの記憶媒体のいずれかであってもよい。
【００１４】
本発明は、パソコンを新しく購入した場合における既存のパソコンから新規購入パソコンへのネットワーク設定の移行と、既存のパソコンが故障した場合におけるバックアップのためのネットワーク設定の双方に適用可能である。よって、本発明を前者の移行時に使用する場合には、上記第１のパソコンと第２のパソコンは異なる物となるが、後者のバックアップ時に使用する場合には、上記第１のパソコンと第２のパソコンとは全く同一の物となる。
【００１５】
上記リムーバブル記憶媒体とは、ＵＳＢメモリ、ＳＤカード、ＣＦカードなどの携帯可能な記憶媒体を意味する。また、「自身に接続された」とは、リムーバブル記憶媒体が、第１のパソコンあるいは第２のパソコンに、読み取り及び書き込み可能に接続されることを意味する。
【発明の効果】
【００１６】
本発明によれば、ネットワーク設定プログラムを利用して、第１のパソコンに設定されているネットワーク設定情報を読み出すとともに、記憶媒体にこれを記憶し、この記憶媒体に記憶したネットワーク設定情報を第２のパソコンに設定するように構成した。これにより、ユーザは、難しいパソコンの知識を要さずに、簡易にインターネット接続、メール接続などの各種ネットワーク設定をすることが可能となる。
【発明を実施するための最良の形態】
【００１７】
以下に、本発明を実施するための最良の形態について説明する。
【００１８】
図１は本発明の第１実施形態を説明するための模式図、図２は本発明の第２実施形態を説明するための模式図、図３は本発明のネットワーク設定プログラムを起動した際に最初に表示される画面であるネットワーク設定保存ウィザード画面、図４は図３で保存を選択した際に次に表示されるネットワーク設定保存画面、図５は図３で設定を選択した際に次に表示されるネットワーク設定画面、図６は本発明のネットワーク設定プログラムの処理手順を示すフロー図である。
【００１９】
図１には、本発明に係るネットワーク設定記憶媒体１の第１の使用例として、パソコンＰＣ１に設定されているネットワーク設定情報をパソコンＰＣ２に設定する場合が示されている。例えば、既存のパソコンＰＣ１を新しいパソコンＰＣ２に買い換えた際に、パソコンＰＣ１のネットワーク設定をパソコンＰＣ２へ移行するときにネットワーク設定記憶媒体１を使用するような状況を示している。
【００２０】
他方、図２には、本発明に係るネットワーク設定記憶媒体１の第２の使用例として、パソコンＰＣ１に設定されているネットワーク設定情報をパソコンＰＣ１に再設定する場合が示されている。例えば、パソコンＰＣ１が故障した場合に備えて予めそのネットワーク設定のバックアップを取っておくような状況を示している。
【００２１】
上記いずれの実施形態においても、本発明のネットワーク設定記憶媒体１は、ＵＳＢメモリであって、ＥＥＰＲＯＭなど小型の記憶媒体を内蔵するとともに、パソコンＰＣ１のＵＳＢポート１１あるいはパソコンＰＣ２のＵＳＢポート２１に接続するためのＵＳＢ端子を備えている。また、前記記憶媒体は、画像や文書などのデータファイルが記憶可能なメモリー領域と、アプリケーションソフトなどが記憶可能なアプリケーション記憶領域とからなり、このアプリケーション記憶領域に本発明に係るネットワーク設定プログラムが格納されている。なお、記憶領域を区別することなくデータファイルやネットワーク設定プログラムなどを格納するように構成してもよい。
【００２２】
いずれの実施形態においても、まず、パソコンＰＣ１のＵＳＢポート１１にネットワーク設定記憶媒体１を接続し、パソコンＰＣ１に設定されているネットワーク設定情報をネットワーク設定記憶媒体１に保存した後、ネットワーク設定記憶媒体１をパソコンＰＣ１から取り外す。次に、第１実施形態においてはパソコンＰＣ２のＵＳＢポート２１に、第２実施形態においてはパソコンＰＣ１のＵＳＢポート１１に、それぞれネットワーク設定記憶媒体１を接続し、ネットワーク設定記憶媒体１に保存されているパソコンＰＣ１のネットワーク設定情報をパソコンＰＣ２に設定あるいはパソコンＰＣ１に再設定する。このようにしてネットワーク設定処理を行う。以下に図３〜図６を参照して各処理を保存処理と設定処理に分けて詳細に説明する。なお、以下においては、図１の場合を代表して説明する。
【００２３】
＜保存処理＞
まず、図１に示すようにネットワーク設定記憶媒体１をパソコンＰＣ１のＵＳＢポート１１に接続する。次に、パソコンＰＣ１側においてマウス（図示しない
）を操作することによりネットワーク設定記憶媒体１が接続されているＵＳＢポート１１を選択すると、図６に示すように本発明のネットワーク設定プログラムが起動する（Ｓ１００）。このネットワーク設定プログラムが起動すると、パソコンＰＣ１の画面上には、図３に示すネットワーク設定保存ウィザード画面３００が表示される。なお、ネットワーク設定プログラムはユーザにより次処理の選択があるまで待機する（Ｓ１０１）。
【００２４】
このネットワーク設定保存ウィザード画面３００は、ユーザが次の処理として「保存」あるいは「設定」のいずれを行うのかを選択可能な処理選択欄３０１Ａ、３０１Ｂと、この処理選択欄３０１Ａ、３０１Ｂのいずれかが選択された際に次処理の実行をネットワーク設定プログラムに開始させる次処理ボタン３０２と、このネットワーク設定プログラムを強制的に終了させるキャンセルボタン３０３とから構成されている。
【００２５】
処理選択欄３０１Ａ、３０１Ｂは、マウスのクリック操作によりいずれかが選択可能であるが、以下における保存処理を実行するためには、ここで「保存」を選択する必要がある。この図３にはマウスポインタＰにより「保存」が選択された状態を示している。
【００２６】
このように、処理選択欄３０１Ａの「保存」を選択した状態で、次処理ボタン３０２をクリック操作すると（図６のＳ１０１の保存）、図４に示すネットワーク設定保存画面４００がパソコンＰＣ１の画面に表示される（Ｓ１０２）。その後、ネットワーク設定プログラムは、ユーザによる下記の保存処理の実行が行われるまで待機する（Ｓ１０３）。
【００２７】
このネットワーク設定保存画面４００は、パソコンＰＣ１に設定されたネットワーク設定情報の保存先を指定する参照ボタン４０２と、この参照ボタン４０２をクリック操作することにより選択された保存先を表示する保存先指定表示欄４０１と、上記ネットワーク設定情報を保存するファイル名を記入可能なファイル名記入欄４０３と、パソコンＰＣ１に設定されたネットワーク設定情報のうちパソコンＰＣ２に設定したいネットワーク設定情報を選択可能とするための設定項目選択欄４０４、４０５、４０６、４０７と、上記ネットワーク設定情報のネットワーク設定記憶媒体１への保存を開始するための実行ボタン４０８とから構成されている。
【００２８】
参照ボタン４０２をクリックすると、パソコンＰＣ１内のドライブがウィンドウ（図示しない）内に一覧表示され、この一覧からユーザが選択したドライブが保存先指定表示欄４０１に表示される。ここでは、ネットワーク設定記憶媒体１が接続されＧドライブとして認識されたドライブ名「リムーバブルディスク（Ｇ：）」が表示されている。なお、このネットワーク設定保存画面４００が表示される際に、自動的にネットワーク設定記憶媒体１が接続されて認識されたドライブ名を表示されるように予め設定しておいてもよい。
【００２９】
ファイル名記入欄４０３は、ユーザにおいて任意に記入することができ、ここでは、ファイル名として「ＰＣ１設定情報」を記入している。
【００３０】
ネットワーク設定保存画面４００には、ネットワーク設定記憶媒体１に保存可能なパソコンＰＣ１のネットワーク設定情報が表示されている。このネットワーク設定情報として表示されているのは、ネットワーク接続情報、Ｉｎｔｅｒｎｅｔ  Ｅｘｐｌｏｒｅｒ設定情報（Ｗｅｂブラウザ設定情報）、Ｏｕｔｌｏｏｋ  Ｅｘｐｒｅｓｓ設定情報（メーラー設定情報）及びＯｕｔｌｏｏｋ設定情報であり、設定項目選択欄４０４、４０５、４０６、４０７をクリックすることにより選択可能に構成されている。
【００３１】
ここでは、ネットワーク接続情報、Ｉｎｔｅｒｎｅｔ  Ｅｘｐｌｏｒｅｒ設定情報及びＯｕｔｌｏｏｋ  Ｅｘｐｒｅｓｓ設定情報の３項目が選択されている。上記保存先の指定及び設定項目の選択後において、実行ボタン４０８をクリックすると（Ｓ１０３のＹ）、下記保存処理が開始される（Ｓ１０４）。具体的には、実行ボタン４０８がクリックされると、上記選択された３項目、ネットワーク接続情報、Ｉｎｔｅｒｎｅｔ  Ｅｘｐｌｏｒｅｒ設定情報及びＯｕｔｌｏｏｋ  Ｅｘｐｒｅｓｓ設定情報をパソコンＰＣ１内から検索する処理が行われ、この検索の結果、検出された各設定情報を、ネットワーク設定記憶媒体１内の記憶媒体に保存する。この際、この記憶媒体内にファイル「ＰＣ１設定情報」を作成し、このファイル内に各設定情報を保存する。このような保存処理が行われると、ネットワーク設定プログラムは適切にネットワーク情報がネットワーク設定記憶媒体１に記憶されたか否かを調べ（Ｓ１０５）、適切に行われた場合には保存処理を終了する（Ｓ１０５のＹ）。
【００３２】
ここで、ネットワーク接続情報としては、インターネットに接続するために必要な情報である、ＩＰアドレス、ＤＮＳサーバのアドレスなどであり、Ｉｎｔｅｒｎｅｔ  Ｅｘｐｌｏｒｅｒ設定情報としては、プロキシ接続、セキュリティ、ブラウズなどの設定であり、Ｏｕｔｌｏｏｋ  Ｅｘｐｒｅｓｓ設定情報としては、メールアカウント名、受信サーバ名、送信サーバ名などである。
【００３３】
なお、ここでは、ＷｅｂブラウザとしてＩｎｔｅｒｎｅｔ  Ｅｘｐｌｏｒｅｒを使用しているが、他のＷｅｂブラウザ、例えば、Ｎｅｔｓｃａｐｅ  Ｎａｖｉｇａｔｏｒ、Ｏｐｅｒａなどであってもよい。また、メーラーもここでは、Ｏｕｔｌｏｏｋ  Ｅｘｐｒｅｓｓを使用しているが、他のメーラー、例えば、Ｔｈｕｎｄｅｒｂｉｒｄなどであってもよい。
【００３４】
上記説明したネットワーク設定プログラムによるネットワーク設定記憶媒体１へのネットワーク設定情報の保存処理においては、他の変形例が考えられる。例えば、パソコンＰＣ１にネットワーク設定記憶媒体１を接続すると自動的にネットワーク設定プログラムが起動するようにプログラミングしておいてもよい。また、ネットワーク設定記憶媒体１は、ＳＤカード、ＣＦカード、メモリスティックなどの携帯可能な記憶媒体（リムーバブル記憶媒体）であってもよい。更に、ネットワーク設定記憶媒体１は、複数のパソコンからネットワーク設定情報を記憶可能に構成してもよい。その他にも、ネットワーク設定記憶媒体１をパソコンＰＣ１に接続すると、ユーザによる上記のような操作を全くせずともネットワーク設定記憶媒体１がパソコンＰＣ１からネットワーク設定情報を取得し記憶可能に構成しておいてもよい。
【００３５】
＜設定処理＞
次にネットワーク設定記憶媒体１が保存したネットワーク設定情報をパソコンＰＣ２にネットワーク設定する設定処理について説明する。
【００３６】
まず、図１に示すようにネットワーク設定記憶媒体１をパソコンＰＣ２のＵＳＢポート２１に接続する。次に、パソコンＰＣ２側においてマウス（図示しない）を操作することによりネットワーク設定記憶媒体１が接続されているＵＳＢポート２１を選択すると、図６に示すように本発明のネットワーク設定プログラムが起動する（Ｓ２００）。このネットワーク設定プログラムが起動すると、パソコンＰＣ２の画面上には、図３に示すネットワーク設定保存ウィザード画面３００が表示される。なお、ネットワーク設定プログラムはユーザにより次処理の選択があるまで待機する（Ｓ１０１）。ここまでは、上記保存処理と同様であるので、ユーザは保存処理と同じ操作をすればよいので使い勝手がよい。
【００３７】
次に、ネットワーク設定保存ウィザード画面３００において、処理選択欄３０１Ｂをクリック操作、すなわち「設定」処理を選択し、次処理ボタン３０２をクリック操作すると（Ｓ１０１の設定）、パソコンＰＣ２の画面に図５に示すネットワーク設定画面５００が表示される（Ｓ２０２）。なお、ネットワーク設定プログラムは下記する次処理の実行命令がなされるまで待機する（Ｓ２０３）。
【００３８】
ここで、ネットワーク設定画面５００は、設定ファイル指定欄５０１と、参照ボタン５０２と、実行ボタン５０３とからなる。参照ボタン５０２をクリックすると、パソコンＰＣ２内のドライブがウィンドウ（図示しない）内に一覧表示され、この一覧からユーザが選択したドライブが設定ファイル指定欄５０１に表示される。
【００３９】
ここでは、ネットワーク設定記憶媒体１が接続されＧドライブとして認識されたドライブ「Ｇ：」とパソコンＰＣ１のネットワーク設定情報が記憶されたファイルのファイル名「ＰＣ１設定情報」が表示されている。なお、このネットワーク設定画面５００が表示される際に、自動的にネットワーク設定記憶媒体１が接続されて認識されたドライブ及びファイル名を表示されるように予め設定しておいてもよい。
【００４０】
上記操作を行い、パソコンＰＣ２へ設定するネットワーク設定情報が記憶されたファイルの指定が行われた後において、実行ボタン５０３をクリックすると（Ｓ２０３のＹ）、下記設定処理が開始される（Ｓ２０４）。
【００４１】
具体的には、実行ボタン５０３がクリックされると、ネットワーク設定記憶媒体１に記憶されたネットワーク設定情報、ここでは、ネットワーク接続情報、Ｉｎｔｅｒｎｅｔ  Ｅｘｐｌｏｒｅｒ設定情報及びＯｕｔｌｏｏｋ  Ｅｘｐｒｅｓｓ設定情報が記憶されたファイル「ＰＣ１設定情報」をネットワーク記憶媒体１から読み出すとともに、この読み出したファイルをパソコンＰＣ２に送り、この送ったファイル内のネットワーク設定情報をパソコンＰＣ２内の所定の場所に設定する（Ｓ２０４）。このような設定処理が行われると、ネットワーク設定プログラムは適切にネットワーク情報がパソコンＰＣ２に設定されたか否かを調べ（Ｓ２０５）、適切に行われた場合には設定処理を終了する（Ｓ２０５のＹ）。
【００４２】
上記説明した設定処理においては、他の変形例が考えられる。例えば、パソコンＰＣ２にネットワーク設定記憶媒体１を接続すると自動的にネットワーク設定プログラムが起動するようにプログラミングしておいてもよい。また、ネットワーク設定記憶媒体１をパソコンＰＣ２に接続すると、ユーザによる上記のような操作を全くせずともネットワーク設定記憶媒体１がネットワーク設定記憶媒体１からパソコンＰＣ２へネットワーク設定情報を送信し設定するように構成しておいてもよい。
【００４３】
なお、上記説明においては、ネットワーク設定プログラムをネットワーク設定記憶媒体１に備えるとして説明したが、これに限定されるものではない。例えば、ネットワーク設定記憶媒体１にはネットワーク設定プログラムを格納せず、ネットワーク設定プログラムは、パソコンＰＣ１及びパソコンＰＣ２の双方にインストールしておく、あるいはＣＤ−ＲＯＭなどに格納しておきパソコンＰＣ１及びパソコンＰＣ２のＣＤ−ＲＯＭドライブに挿入する。
【００４４】
この場合、上記説明したような機能を有するネットワーク設定記憶媒体１のような記憶媒体を使用する必要はなく、携帯可能で、かつパソコンＰＣ１、パソコンＰＣ２にそれぞれ接続可能な記憶媒体（リムーバブル記憶媒体）であればよい。ＣＤ−ＲＯＭにネットワーク設定プログラムを格納する場合には、ＣＤ−ＲＯＭを挿入すると、ネットワーク設定保存ウィザードが表示されるようにしておけばユーザにおいてわざわざプログラムを起動させる手間が省けるので好適である。
【００４５】
このように本発明においては、ネットワーク設定プログラムを利用して、パソコンＰＣ１に設定されているネットワーク設定情報を読み出すとともに、ネットワーク設定記憶媒体１にこれを記憶し、ネットワーク設定記憶媒体１に記憶したネットワーク設定情報をパソコンＰＣ２に設定あるいはパソコンＰＣ１に再設定するように構成した。これにより、ユーザは、難しいパソコンの知識を要さずに、簡易にインターネット接続、メール接続などの各種ネットワーク設定をすることが可能となる。
【図面の簡単な説明】
【００４６】
【図１】本発明の第１実施形態を説明するための模式図。
【図２】本発明の第２実施形態を説明するための模式図。
【図３】本発明のネットワーク設定プログラムを起動した際に最初に表示される画面であるネットワーク設定保存ウィザード画面。
【図４】図３で保存を選択した際に次に表示されるネットワーク設定保存画面。
【図５】図３で設定を選択した際に次に表示されるネットワーク設定画面。
【図６】本発明のネットワーク設定プログラムの処理手順を示すフロー図。
【符号の説明】
【００４７】
１  ＵＳＢメモリ（ネットワーク設定記憶媒体）
１１、２１  ＵＳＢポート
３００  ネットワーク設定保存ウィザード画面
３０１Ａ、３０１Ｂ  処理選択欄
３０２  次処理ボタン
３０３  キャンセルボタン
４００  ネットワーク設定保存画面
４０１  保存先指定表示欄
４０２  参照ボタン
４０３  ファイル名記入欄
４０４、４０５、４０６、４０７  設定項目選択欄
４０８  実行ボタン
５００  ネットワーク設定画面
５０１  設定ファイル指定欄
５０２  参照ボタン
５０３  実行ボタン
ＰＣ１、ＰＣ２  パソコン
【図１】
2008234438.tif 000003
【図２】
2008234438.tif 000004
【図３】
2008234438.tif 000005
【図４】
2008234438.tif 000006
【図５】
2008234438.tif 000007
【図６】
2008234438.tif 000008